(57)【要約】【課題】デジタルデータの利点と従来の紙媒体の利点のみを併せ持ち、かつ利用者にとって、楽しく得して為になる情報を自動的に抽出して質の高い情報を利用者へ供給すること。また、取得した情報から要約書を生成し、利用者側の携帯端末及びコンピュータに対して要約書を迅速に送信する機能を提供すること。【解決手段】携帯端末または、利用者側コンピュータ、またはＷＷＷサーバーから検索要求された文字列を、複数のＷＷＷサーバーや、デジタル化した書籍データベースから同時検索を実行する。さらに、検索結果から楽しく得して為になる情報を自動抽出する。各項目ごとに類似する単語群集が予め登録されている。登録してある単語群が文章中に含まている場合は自動的に情報抽出する。そして、検索済情報から要約書を生成し、利用者側コンピュータや、携帯端末へ送信する。日常において質の高い情報を最小限の時間で取得可能となった。【選択図】                図１
2005122668.tif 000002
【特許請求の範囲】
【請求項１】
インターネット上のデジタル情報と、予めスキャナーで読み込んでイメージデータからＯＣＲ（文字認識システム）を使用して文字認識させたデータをデータベース登録した書籍や新聞、雑誌等の情報を対象に、同時複数に対して検索する機能を持つことを特徴とする検索システム。
【請求項２】
利用者にとって、「楽しい事」に類似する単語群、「得する事」に類似する単語群、「為になる事」に類似する単語群集が、予めデータベースに登録されており、請求項１の検索機能により取得した情報の文節または、文章中に「楽しい情報単語」か「得する情報単語」か、または「為になる情報単語」が含まれているかを判断し、文節または文章中に含まれている場合は、項目ごとに自動抽出し、含まれていない場合は情報自体を破棄する機能を特徴とする情報処理技術。
【請求項３】
前記請求項１、及び請求項目２により取得抽出した情報を、自動的に要約処理を実行し、要約書を生成後に検索要求のあった利用者側の携帯端末やコンピュータへ要約書を送信する機能と、要約書を基に自動的にスライド生成処理及びＨＴＭＬ出力、テキスト出力、自動印刷機能を特徴とする情報処理技術。
【発明の詳細な説明】
【技術分野】
【０００１】  本発明は、情報検索システムに関するものである。
【背景技術】
【０００２】  従来の検索文字列を単純符合させて検索実行する技術では、日常において限られた人材、限られた時間、限られた情報源、限られた予算など様々な制約の中で、利用者にとって本当に欲しい情報や質の高い情報を最小限の時間で取得するには技術と労力を必要としている。【０００３】  例えば、インターネット上のＷＷＷサーバーから検索を実行した場合、文字列の単純照合で符合したホームページを羅列して表示するので情報量が膨大になりすぎ、さらに絞り込みをかけて情報量を精査してゆかなければならず、情報精査の時間と検索の方法には技術が必要となるものであった。【０００４】  また、インターネット上に公開されていないより質の高い情報を得たい場合、書籍や雑誌や新聞等の従来の紙媒体から情報検索するこの方法では、検索者が索引などを手がかりとして本文の活字を目で追って行くという検索者の労力と時間を必要としている。
【発明の開示】
【発明が解決しようとする課題】
【０００５】  インターネット上のデジタルデータの利点とは、記録されている情報の加工のしやすさに加えて情報を迅速に取得することが可能であり、従来の紙媒体の情報は先達の叡智からより質の高い情報を得ることが可能である。【０００６】  上記の従来の技術に絡み、本発明はデジタルデータの利点と従来の紙媒体の利点のみを併せ持ち、かつ利用者にとって「楽しい情報」や「得する情報」及び「為になる情報」を自動的に抽出して質の高い情報を利用者へ迅速に供給することにある。【０００７】  また、取得した情報を要約処理し、要約書を生成後、利用者側の携帯端末及びコンピュータに対して検索結果と要約書を送信する機能を提供することにより、いつでも、どこでも、だれでも質の高い情報を迅速に得ることが可能となる。
【課題を解決するための手段】
【０００８】  本発明は、前記のデジタルデータの利点と従来の紙媒体の利点を、利用者側へ迅速に供給する事を達成するために、まず検索したい書籍や雑誌、新聞などの紙媒体をスキャナーでイメージデータ化し、ＯＣＲ（文字認識システム）で文字認識させ、デジタルデータ化したものをデータベースへ登録する。そして、前記データベースから情報検索するためのＳＱＬクエリ文を検索対象データベースに予め登録する。また、インターネット上のＷＷＷサーバーから検索したい場合は、ＷＷＷサーバーのＣＧＩクエリ文を検索対象データベースに予め登録する。検索を実行すると、検索対象データベースを参照し、登録した書籍から検索する場合はＳＱＬクエリ文を登録書籍データベースに要求発行し、インターネット上のＷＷＷサーバーから検索実行する場合はＣＧＩクエリ文をＷＷＷサーバーへ要求発行する。これによりインターネット上のＷＷＷサーバーへの検索と登録した書籍データベースへの検索が同時に、また複数の対象に実行可能にしたものである。【０００９】  また、第２の解決手段とは、前記第１の解決手段によって取得した情報を、利用者にとって「楽しい情報」なのか「得する情報」なのか「為になる情報」なのかを自動的に抽出してふるい分けした質の高い情報を利用者へ迅速に送信可能にしたことにある。利用者にとって、「楽しい事」に類似する単語群、「得する事」に類似する単語群、「為になる事」に類似する単語群集を予めデータベースに登録する。第１解決手段で取得した情報の文節または文章中に、これらの単語が含まれているかを判断して、一定の単語量が含まれている場合はその情報を抽出して分別する。文節または文章中に一定の単語量が含まれていない場合は、情報自体を廃棄することにより、利用者にふるい分けした質の高い情報を供給することことが可能となった。【００１０】  第３の解決手段とは、前記第１の解決方法及び第２の解決方法により取得抽出した情報を、迅速に利用者側へ送信可能にしたことにある。取得抽出した情報を設定値の文字量内で自動的に要約処理を施し、要約書を自動生成する。生成した要約書を自動的にプリンタへ出力し、さらにスライド形式及びＨＴＭＬ形式やテキスト形式としても出力可能。さらにその要約書を利用者側の携帯端末及びコンピュータに自動的に送信出来るようにしたものである。
【発明の効果】
【００１１】  前記の解決手段により、いつでも、どこでも、だれでも質の高い情報を迅速に得られることを可能にしたものである。
【発明の実施するための最良の形態】
【００１２】  本発明の実施形態を図１に基づいて説明する。また、図２〜３の実施例についても、図１との相関関係について併せて説明する。
【００１３】  利用者にとって調べたい事柄があったとき、利用者側携帯端末１（図１）または、利用者側コンピュータ３（図１）を使用して検索文字列を検索サーバーブロック４（図１）へ対してメールで検索要求をかける。また、検索要求ＷＷＷサーバー２ｂ（図１）からも検索要求が発生した場合も検索サーバーブロック４（図１）は検索要求を受け付ける。
【００１４】  利用者側携帯端末１（図１）から検索要求を受け付けた場合は、Ａ３（図２）においてメール本文から検索単語抽出処理を行い、検索実行するキーワード群をセットする。利用者側コンピュータ３（図１）の画面コンソール上から検索要求があった場合は、Ｃ３（図４）において検索単語抽出処理後にキーワード群をセットする。ＷＷＷサーバーから検索要求があった場合は、指定のページに含まれる文字列からＢ３（図３）の検索要求ＷＷＷサーバーから検索単語抽出処理を行い、検索キーワード群をセットする。
【００１５】  検索サーバーブロック４（図１）は、利用者側携帯端末１（図１）及び利用者側コンピュータ３（図１）または検索要求ＷＷＷサーバー２ｂ（図１）から受け付け、キーワードがセットされた文字列を検索要求実行部４ａ（図１）、Ａ４（図２）、Ｂ４（図３）、Ｃ４（図４）に遷移し、検索実行に移す。
【００１６】  検索要求実行部４ａ（図１）、Ａ４（図２）、Ｂ４（図３）、Ｃ４（図４）は、６ｂ（図１）の検索対象ＤＢを参照して検索対象を登録順に実行に移す。登録されている書籍から検索を行う場合にはＳＱＬクエリを６ａ（図１）の登録書籍ＤＢに送信し、検索要求を発行する。また、インターネット上のＷＷＷサーバー２ａ（図１）から検索を行う場合は、ＣＧＩクエリを送信し、検索要求を発行する。６ｂ（図１）の検索対象ＤＢには予め、オートドキュメントフィーダースキャナーブロック５（図１）からイメージデータ取込ＯＣＲ処理部５ａ（図１）によって文字認識されたデータを登録している。
【００１７】  ６ａ（図１）の登録書籍ＤＢと、２ａ（図１）のインターネット上のＷＷＷサーバーから送信された検索結果を自動抽出処理部４ｂ（図１）、Ａ８（図２）、Ｂ８（図３）、Ｃ８（図４）が受け取る。自動抽出処理部は、６ｃ（図１）の登録単語群ＤＢに登録された単語群を参照し、検索結果の文章の文中に単語群が含まれているか判断し、その情報が利用者にとって「楽しい情報」なのか「得する情報」なのか「為になる情報」なのかを自動的に抽出する。６ｃ（図１）の登録単語群ＤＢには利用者にとって「楽しい事」に類似する単語群、「得する事」に関する単語群、「為になる事」に関する単語群が予め登録してある。利用者が設定した、一定の単語量以上が文節中、または文章中に含まれていれば各項目ごとに抽出し、含まれていない場合は検索結果自体を破棄する。これにより利用者にふるい分けした質の高い情報を供給することことができる。
【００１８】  自動抽出処理部４ｂ（図１）、Ａ８（図２）、Ｂ８（図３）、Ｃ８（図４）の処理を通過した検索結果は、文字補正処理部４ｃ（図１）、Ａ９（図２）、Ｂ９（図３）、Ｃ９（図４）へ遷移する。自動抽出処理部は６ｄ（図１）の文字補正ＤＢを参照し、前述５ａ（図１）イメージデータ取込ＯＣＲ処理部で処理しきれなかった誤認識文字を補正する。６ｄ（図１）の文字補正ＤＢには予め、誤認識文字を補正する単語置換対応パターンが登録されている。
【００１９】  検索結果を文字補正処理部で補正後、４ｄ（図１）、Ａ１１（図２）、Ｂ１１（図３）、Ｃ１１（図４）の要約及び要約書自動生成処理へ遷移する。利用者が設定した文字総数以内に要約処理を行い、要約書を自動的に生成する。
【００２０】  要約及び要約書自動生成処理終了後、検索記録を６ｅ（図１）の検索ログＤＢに書き込み処理を行う。前述の一連の処理終了後、６ｅ（図１）の要約書送信処理部へ遷移する。要約書送信処理部６ｅ（図１）は、要約書を７（図１）、Ａ１２（図２）、Ｂ１２（図３）、Ｃ１２（図４）においてプリンタ出力する。また、要約書を自動的にスライド化して出力する場合８（図１）、Ａ１３（図２）、Ｂ１３（図３）、Ｃ１３（図４）の要約書スライド生成出力部において処理する。また、要約書をＨＴＭＬ／ＴＥＸＴ、ファイルに出力する場合９（図１）、１０（図１）、Ａ１４（図２）、Ｂ１４（図３）、Ｃ１４（図４）において処理する。
【００２１】  最後に、要約書及び検索結果を利用者に送信する処理に遷移する。検索結果が０件だった場合は、利用者側携帯端末１（図１）にメールで結果を送信する。利用者側コンピュータ３（図１）には画面コンソール上にて結果を表示する。検索結果が１件以上で最大取得件数を達成し、かつ要約書の生成処理が終了した場合は、要約書を利用者側携帯端末１（図１）にメールで送信し、利用者側コンピュータ３（図１）には画面コンソール上で表示し、閲覧が可能となる。
【実施例１】
【００２２】  前記、発明の発明を実施するための最良の形態及び、図２の実施例と図１の相関関係を参照。
【実施例２】
【００２３】  前記、発明の発明を実施するための最良の形態及び、図３の実施例と図１の相関関係を参照。
【実施例３】
【００２４】  前記、発明の発明を実施するための最良の形態及び、図４の実施例と図１の相関関係を参照。
【図面の簡単な説明】
【００２５】
【図１】    情報検索システム用装置のシステ厶ブロック図
【図２】    実施例を説明するためのフローチャート１（携帯端末からの検索要求の場合）
【図３】    実施例を説明するためのフローチャート２（検索要求ＷＷＷサーバーからの検索要求の場合）
【図４】    実施例を説明するためのフローチャート３（利用者側コンピュータからの検索要求の場合）
【符号の説明】
【００２６】１    利用者側携帯端末
２ａ  検索対象ＷＷＷサーバー
２ｂ  検索要求ＷＷＷサーバー
３    利用者側コンピュータ
４    検索サーバーブロック
４ａ  検索要求実行部
４ｂ  自動抽出処理部
４ｃ  文字補正処理部
４ｄ  要約及び要約書自動生成処理部
４ｅ  要約書送信処理部
５    オートドキュメントフィーダスキャナーブロック
５ａ  イメージデータ取込ＯＣＲ処理部
６    ＲＤＢブロック
６ａ  登録書籍ＤＢ
６ｂ  検索対象ＤＢ
６ｃ  登録単語群ＤＢ
６ｄ  文字補正ＤＢ
６ｅ  検索ログＤＢ
６ｆ  言語変換ＤＢ
７    プリンタ出力
８    スライド生成出力
９    ＨＴＭＬ／ＴＥＸＴ出力
１０  ファイル出力
Ａ１    検索対象エントリー
Ａ２    携帯端末からメールで検索要求発生？
Ａ３    メール本文から検索単語抽出処理部
Ａ４    検索要求実行部
Ａ５    検索対象は？
Ａ６    登録書籍ＤＢ検索要求実行部
Ａ７    インターネット検索要求実行部
Ａ８    自動抽出処理部
Ａ９    文字補正処理部
Ａ１０  検索結果件数は？
Ａ１１  要約及び要約書自動生成処理
Ａ１２  要約書プリンタ出力部
Ａ１３  要約書スライド生成出力部
Ａ１４  要約書ＨＴＭＬ／ＴＥＸＴ出力部
Ａ１５  要約書メール送信部
Ａ１６  検索結果メール送信部
Ｂ１    検索対象エントリー
Ｂ２    検索要求ＷＷＷサーバーから検索要求発生？
Ｂ３    検索要求ＷＷＷサーバーから検索単語抽出処理部
Ｂ４    検索要求実行部
Ｂ５    検索対象は？
Ｂ６    登録書籍ＤＢ検索要求実行部
Ｂ７    インターネット検索要求実行部
Ｂ８    自動抽出処理部
Ｂ９    文字補正処理部
Ｂ１０  検索結果件数は？
Ｂ１１  要約及び要約書自動生成処理
Ｂ１２  要約書プリンタ出力部
Ｂ１３  要約書スライド生成出力部
Ｂ１４  要約書ＨＴＭＬ／ＴＥＸＴ出力部
Ｂ１５  要約書メール送信部
Ｂ１６  検索結果メール送信部
Ｃ１    検索対象エントリー
Ｃ２    利用者側コンピュータから検索要求発生？
Ｃ３    利用者側コンピュータからの検索単語抽出処理部
Ｃ４    検索要求実行部
Ｃ５    検索対象は？
Ｃ６    登録書籍ＤＢ検索要求実行部
Ｃ７    インターネット検索要求実行部
Ｃ８    自動抽出処理部
Ｃ９    文字補正処理部
Ｃ１０  検索結果件数は？
Ｃ１１  要約及び要約書自動生成処理
Ｃ１２  要約書プリンタ出力部
Ｃ１３  要約書スライド生成出力部
Ｃ１４  要約書ＨＴＭＬ／ＴＥＸＴ出力部
Ｃ１５  要約書メール送信部
Ｃ１６  検索結果メール送信部
【図１】
2005122668.tif 000003
【図２】
2005122668.tif 000004
【図３】
2005122668.tif 000005
【図４】
2005122668.tif 000006